(57)【要約】【課題】摩擦抵抗を発生する摩擦部材同士が互いに接触する部分の面積を大きくすることにより、回転位置保持力を得る為の摩擦抵抗の大きさを弾性部材の弾性力の大きさだけに頼らないようにすることで使用による弾性部材の弾性力低下を防止したねじマウントレンズ鏡筒を提供すること。【解決手段】ねじマウントによって装置本体にレンズ鏡筒を装着するレンズ鏡筒装置であって、前記レンズ鏡筒を結像側のマウント部と、被写体側の鏡筒本体部とに分離し、前記マウント部と前記鏡筒本体部とを光軸中心に回動自在に結合し、前記マウント部と一体に光軸中心に回転する少なくとも一つのマウント側摩擦部材と、前記鏡筒本体部と一体に光軸中心に回転する少なくとも一つの鏡筒本体側摩擦部材とを交互に配置してなる摩擦手段を、前記マウント部と前記鏡筒本体部の間に配置したことを特徴とするレンズ鏡筒装置。【選択図】図２
2007304418.tif 000002
【特許請求の範囲】
【請求項１】
ねじマウントによって装置本体にレンズ鏡筒を装着するレンズ鏡筒装置であって、
前記レンズ鏡筒を結像側のマウント部と、被写体側の鏡筒本体部とに分離し、前記マウント部と前記鏡筒本体部とを光軸中心に回動自在に結合し、
前記マウント部と一体に光軸中心に回転する少なくとも一つのマウント側摩擦部材と、前記鏡筒本体部と一体に光軸中心に回転する少なくとも一つの鏡筒本体側摩擦部材とを交互に配置してなる摩擦手段を、前記マウント部と前記鏡筒本体部の間に配置したことを特徴とするレンズ鏡筒装置。
【請求項２】
前記マウント側摩擦部材と前記鏡筒本体側摩擦部材の一方が、光軸を中心とする放射方向外向きに延びた突起部によって前記マウント部と前記鏡筒本体部の一方と係合し、前記マウント側摩擦部材と前記鏡筒本体側摩擦部材の他方が、光軸を中心とする放射方向内向きに延びた突起部によって前記マウント部と前記鏡筒本体部の他方と係合することを特徴とする請求項１に記載のレンズ鏡筒装置。
【請求項３】
前記摩擦手段が、前記マウント側摩擦部材と前記鏡筒本体側摩擦部材の圧接力を高めるための弾性部材を有することを特徴とする請求項１に記載のレンズ鏡筒装置。
【請求項４】
前記弾性部材が、波形ワッシャであることを特徴とする請求項３に記載のレンズ鏡筒装置。
【請求項５】
前記鏡筒本体部が、ズームレンズ部と、フォーカスレンズ部と、絞り装置の少なくとも一つを保持していることを特徴とする請求項１に記載のレンズ鏡筒装置。
【発明の詳細な説明】
【技術分野】
【０００１】
本発明は、レンズ鏡筒装置、さらに詳しくは、カメラボディ等の装置本体部にねじマウントで装着を行ない、ねじマウント装着時にレンズ装置の回転位置を調節できるレンズ鏡筒装置に関するものである。
【背景技術】
【０００２】
カメラボディに対してねじマウントで装着するレンズ鏡筒を有するレンズ鏡筒装置、例えば、用途に応じて様々な位置に取り付ける監視カメラでは、レンズ鏡筒装置を装着したカメラボディを所定の位置に取り付けた後に、レンズ鏡筒の外表面に突設されたレバー等でフォーカス・倍率・絞り等の調整を行ったり、レンズ鏡筒から出るケーブルをうまく配線させるようにするためにレンズ鏡筒装置の主要部を特定の回転位置に調節できることが必要である。ここで、レンズ特定部とは、レンズ鏡筒の周囲に設けられたフォーカス・倍率・絞りの表示やこれらを調整するためのレバー、あるいはレンズ鏡筒に固着されたケーブル等、レンズの光軸に関し非対称に配置された構成である。
【０００３】
このような用途のために、レンズ鏡筒装置をカメラボディ等に装着後、レンズ特定部をその角度位置とは異なった回転位置にセットしたい場合は、特別な回転位置調整機構を必要とする。このような状況で、フォーカス等の調整用リングを動かすときに、レンズ鏡筒部は一緒に回転せず、またレンズ特定部が所望の回転位置で維持できるようにするために、レンズ特定部とマウント環との間に適当な回転位置保持力が必要である。
【０００４】
カメラボディに対して装着するレンズ鏡筒装置のマウント環とレンズ特定部の間の回転位置保持力を得るために、従来は、レンズ特定部とマウント環との間に波型ワッシャ等の弾性部材を配置し、その弾性力によって摩擦抵抗を発生させ、回転位置保持力を得ていた。
【０００５】
他のカメラボディ等の装置本体部にねじマウントで装着を行ない、ねじマウント装着時にレンズ装置の回転位置を調節できるレンズ鏡筒装置としては、摩擦部材を環状板ばね体から構成し、この環状板ばね体を、レンズ鏡筒本体の後端に設けた取付け面に固定し、この環状板ばね体の一部の摩擦接触部を、マウント環の後端に設けた当接面に弾性変形した状態で摩擦接触させたＣＣＴＶカメラ用ねじマウントが提案されている（例えば、特許文献１参照）。
【０００６】
カメラボデイのねじマウントに螺合されるねじ部を有するマウント環：このマウント環に回動可能かつ光軸方向移動が生じないように支持した焦点調整レンズを支持し、この焦点調整リングにねじ結合された鏡筒本体；この鏡筒本体の移動方向を光軸方向に制限する、上記マウント環に回動可能に支持された直進案内部材；及びこの直進案内部材のマウント環に対する回動に抵抗を与える摩擦手段；を備え、この摩擦手段は、上記焦点調節リングを回動させるとき２は直進案内部材がマウント環に対して回動セズ、鏡筒全体に回動力を付与したとき直進案内手段がマウント環に対して回動するようにその摩擦力が設定されていることを特徴とするねじマウントレンズ鏡筒が提案されている（例えば、特許文献２参照）。
【０００７】
レンズマウント部分をマウントベース１、およびマウントネジ２の２つの部品から構成する。マウントベース１には、切り欠き部１２により弾性を付与されたバネ部１４が設けられ、バネ部１４先端の抜け止め部１３によりマウントネジ２の抜け止め部２３と係合する。バネ部１４の付勢力によりマウントネジ２とマウントベース１の任意の相対的な回転位置を選択し、そこでその位置を保持できるため、これによりレンズとカメラの回転位置を選択できる。また、１回転以上のマウントネジ２とマウントベース１の相対的な回転は、ストッパー１１およびストッパー２２により阻止され、これにより、レンズのスクリューマウントを介した着脱が可能になる（例えば、特許文献３参照）。
【０００８】
これらに従来技術の何れにおいても、配置した弾性部材の弾性力により摩擦抵抗を発生させることで回転位置保持力を得ている。
【０００９】
【特許文献１】特開平１０―４８７２８号公報
【特許文献２】実開平６―４０９４２号公報
【特許文献３】特開平３―２１２６０４号公報
【発明の開示】
【発明が解決しようとする課題】
【００１０】
マウント環とレンズ鏡筒本体との間に波型ワッシャ等の弾性部材を配置した構造の場合、弾性部材の弾性力によって摩擦部材が摩擦抵抗を発生するが、摩擦部材同士が互いに接触する部分の面積が少なく、大きな摩擦抵抗すなわち回転位置保持力を得にくい。またレンズ鏡筒の回転位置を調節して使用するうちに、波型ワッシャ等弾性部材の弾性力が低下し、摩擦抵抗による回転位置保持力が低下していくおそれがある。
【００１１】
また、特許文献１ないし３に開示された装置についても、同様に互いに接触する部分の面積が少ない摩擦部材で摩擦抵抗を得ようとしているために、大きな摩擦抵抗を得ようとすると、大きな弾性力を得るために弾性部材をその弾性域における弾性限界に近い領域で使用することになる。結果として、使用により弾性部材の弾性力が低下し、適当な摩擦抵抗力が得られなくなり、回転位置保持力の低下によりレンズ鏡筒を所望の回転位置に維持できなくなるおそれがある。
【００１２】
(発明の目的)
本発明は、従来技術のカメラボディ等の装置本体部にねじマウントで装着を行ない、ねじマウント装着時にレンズ装置の回転位置を調節できるレンズ鏡筒装置に関する上述した問題を解消するためになされたものである。本発明は、摩擦抵抗を発生する摩擦部材同士が互いに接触する部分の面積を大きくすることにより、回転位置保持力を得る為の摩擦抵抗の大きさを弾性部材の弾性力の大きさだけに頼らないようにすることで使用による弾性部材の弾性力低下を防止し、また弾性力の弱い弾性部材を用いてもカメラ本体に固着されたマウント環に対してレンズ鏡筒本体を回動する際に所望の摩擦抵抗すなわち回転位置保持力を得ることができるねじマウントレンズ鏡筒を提供することを目的とする。
【課題を解決するための手段】
【００１３】
本発明は、
ねじマウントによって装置本体にレンズ鏡筒を装着するレンズ鏡筒装置であって、
前記レンズ鏡筒を結像側のマウント部と、被写体側の鏡筒本体部とに分離し、前記マウント部と前記鏡筒本体部とを光軸中心に回動自在に結合し、
前記マウント部と一体に光軸中心に回転する少なくとも一つのマウント側摩擦部材と、前記鏡筒本体部と一体に光軸中心に回転する少なくとも一つの鏡筒本体側摩擦部材とを交互に配置してなる摩擦手段を、前記マウント部と前記鏡筒本体部の間に配置したことを特徴とするレンズ鏡筒装置である。
【００１４】
本発明の実施態様は、以下のとおりである。
前記マウント側摩擦部材と前記鏡筒本体側摩擦部材の一方が、光軸を中心とする放射方向外向きに延びた突起部によって前記マウント部と前記鏡筒本体部の一方と係合し、前記マウント側摩擦部材と前記鏡筒本体側摩擦部材の他方が、光軸を中心とする放射方向内向きに延びた突起部によって前記マウント部と前記鏡筒本体部の他方と係合することを特徴とする。
前記摩擦手段が、前記マウント側摩擦部材と前記鏡筒本体側摩擦部材の圧接力を高めるための弾性部材を有することを特徴とする。
前記弾性部材が、波形ワッシャであることを特徴とする。
前記鏡筒本体部が、ズームレンズ部と、フォーカスレンズ部と、絞り装置の少なくとも一つを保持している。
【発明の効果】
【００１５】
本発明のレンズ鏡筒装置によれば、摩擦抵抗を発生する摩擦部材同士が互いに接触する部分の面積を大きくすることにより、回転位置保持力を得る為の摩擦抵抗の大きさを弾性部材の弾性力の大きさだけに頼らないようにすることにより、弾性部材の弾性力の経時的な低下を防止し、また弾性力の弱い弾性部材を用いてもカメラ本体に固着されたマウント環に対してレンズ鏡筒本体を回動する際に所望の摩擦抵抗すなわち回転位置保持力を得ることができるねじマウントレンズ鏡筒を提供することができる。
【発明を実施するための最良の形態】
【００１６】
以下に、本発明の最良の実施形態のレンズ鏡筒装置を図に基づいて説明する。
（全体構成）
レンズ鏡筒装置１００は、図１に示すように、レンズ鏡筒マウント１０にマウント雄ねじ１２を有し、本体装置２００に本体装置マウント１６のマウント雌ねじ１８を有する。マウント雄ねじ１２とマウント雌ねじ１８の螺合によって、レンズ鏡筒装置１００が着脱自在に本体装置２００に装着される。
【００１７】
レンズ鏡筒装置１００は、フォーカスレンズ２４、絞り２６、及びズームレンズ２８を有する。レンズ鏡筒装置１００のレンズ鏡筒マウント１０は、固定筒であるレンズ鏡筒本体３０に、マウント抑え部材３２によって光軸中心に回動可能に取付けられている。マウント抑え部材３２は、レンズ鏡筒本体３０の結像側端部に螺合することによって、レンズ鏡筒マウント１０を光軸中心に回動可能に保持する。
【００１８】
レンズ鏡筒本体３０の外周面には、ズーム駆動リング４８及びフォーカス駆動リング５０が回動自在に配置されている。ズーム駆動リング４８には、ズームロックつまみ５２が螺合しており、ズームロックつまみ５２を捩じ込むことによりズーム駆動リング４８をレンズ鏡筒本体３０にロックすることができる。フォーカス駆動リング５０には、フォーカスロックつまみ５３が螺合しており、フォーカスロックつまみ５３を捩じ込むことによりフォーカス駆動リング５０をレンズ鏡筒本体３０にロックすることができる。
【００１９】
（摩擦発生系）
レンズ鏡筒マウント１０とレンズ鏡筒本体３０の光軸方向の空間に、摩擦手段３４が配置されている。摩擦手段３４は、図２の分解図に示すように、一枚の波形ワッシャ３６と、複数枚の外側係合摩擦リング３８と、複数枚の内側係合摩擦リング４０とからなる。外側係合摩擦リング３８は、３つの放射外向きの突起部３８Ｊを有する平板である。内側係合摩擦リング４０は、３つの放射内向きの突起部４０Ｊを有する平板である。本実施形態では、外側係合摩擦リング３８及び内側係合摩擦リング４０は、各３枚であり、交互に配置されている。波形ワッシャ３６、内側係合摩擦リング４０、外側係合摩擦リング３８の配列順序は、図２に示すように、波形ワッシャ３６、外側係合摩擦リング３８、内側係合摩擦リング４０、外側係合摩擦リング３８・・・であっても、波形ワッシャ３６、内側係合摩擦リング４０、外側係合摩擦リング３８、内側係合摩擦リング４０、外側係合摩擦リング３８・・・（図示せず）であってもよい。
【００２０】
外側係合摩擦リング３８の突起部３８Ｊは、レンズ鏡筒マウント１０の被写体側部分の内面に形成された、光軸方向に延びた係合突起４２に係合している。内側係合摩擦リング４０の突起部４０Ｊは、レンズ鏡筒本体３０の結像側部分の外面に形成された、光軸方向に延びた係合突起４４に係合している。
【００２１】
レンズ鏡筒マウント１０とレンズ鏡筒本体３０の間の回転摩擦抵抗は、レンズ鏡筒本体３０と波形ワッシャ３６の間の回転摩擦抵抗と、波形ワッシャ３６と被写体側の外側係合摩擦リング３８の間の回転摩擦抵抗と、各外側係合摩擦リング３８と各内側係合摩擦リング４０の間の回転摩擦抵抗と、結像側の各内側係合摩擦リング４０とレンズ鏡筒マウント１０の間の回転摩擦抵抗との合計である。従って、レンズ鏡筒マウント１０とレンズ鏡筒本体３０の間の回転摩擦抵抗値は、波形ワッシャ３６の弾性力の変更、及び外側係合摩擦リング３８と内側係合摩擦リング４０の数量の増減によって調整することができる。
なお、摩擦手段３４に含まれる波形ワッシャ３６は、光軸方向の付勢力を発生するもの、例えばコイルばねに変えることも可能である。
【００２２】
（ズーム系）
レンズ鏡筒本体３０の結像側の内周面には、ズーム駆動用のねじ山３０Ｓが形成されている。
ズームレンズ２８を保持しているズームレンズ保持枠５４の外周面には、図３示すように、ねじ山５４Ｓと、キー部材５８が係合するキー溝５４Ａが形成されている。ズーム駆動リング４８の内周面には、図４に示すように、キー部材５８が係合するキー溝６４が形成されている。
【００２３】
キー部材５８は、図５に示すように、ズーム駆動リング４８のキー溝６４に係合する短いキー外側部分５８Ａと、ズームレンズ枠５４のキー溝５４Ａに係合する長いキー内側部分５８Ｂと、キー外側部分５８Ａとキー内側部分５８Ｂを結合するキー中央部分５８Ｃからなる。
【００２４】
前述した構成により、ズームロックつまみ５２を緩め、ズーム駆動リング４８を回動させると、ズーム駆動リング４８の回動がキー部材５８を介してズームレンズ保持枠５４に伝達される。ズームレンズ保持枠５４の回動は、ズームレンズ保持枠５４のねじ山５４Ｓとレンズ鏡筒本体３０のねじ山３０Ｓの螺合により、ズームレンズ２８が、ズームのために光軸上で前後移動する。
【００２５】
（フォーカス系）
フォーカスレンズ２４を保持するフォーカスレンズ保持枠６６は、外周に係合コマ（図示せず）が取付けられている。係合コマは、レンズ鏡筒本体３０に形成された、光軸と平行に延びた直進溝（図示せず）を貫通して、フォーカス駆動リング５０に形成された概ね螺旋状のフォーカスカム溝（図示せず）に係合している。
前述した構成により、フォーカスロックつまみ５３を緩め、フォーカス駆動リング５０を回動させると、フォーカスカム溝と直進溝と係合コマの相互作用によって、フォーカスレンズ２４が、フォーカスのために光軸上で前後移動する。
【００２６】
（全体作動）
マウント雄ねじ１２とマウント雌ねじ１８の螺合によって、レンズ鏡筒装置１００を本体装置２００に装着した後、レンズ鏡筒本体３０によって支持されたズーム駆動リング４８及びズームロックつまみ５２や、フォーカス駆動リング５０及びフォーカスロックつまみ５３の回転位置を調整する。この調整は、前述した摩擦発生系すなわちレンズ鏡筒マウント１０とレンズ鏡筒本体３０の光軸方向の空間に配置した摩擦手段３４による摩擦抵抗力に抗して行われる。この摩擦抵抗力によって、レンズ鏡筒本体３０を把持してレンズ鏡筒本体３０によって支持されたズーム駆動リング４８及びズームロックつまみ５２や、フォーカス駆動リング５０及びフォーカスロックつまみ５３の回転位置を変えることができる。一方、通常のズームロックつまみ５２を緩めてズーム調整する場合や、フォーカスロックつまみ５３を緩めてフォーカス調整する場合は、摩擦手段３４は実質上固着状態となる。
【図面の簡単な説明】
【００２７】
【図１】図１は、本発明の実施形態のレンズ鏡筒装置の分解断面図である。
【図２】図２は、本発明の実施形態の摩擦手段の分解説明図である。
【図３】図３は、本発明の実施形態のズームレンズ保持枠の斜視図である。
【図４】図４は、本発明の実施形態のズーム駆動リングの斜視図である。
【図５】図５は、本発明の実施形態のキー部材の斜視図である。
【符号の説明】
【００２８】
１００          レンズ鏡筒装置
２００          本体装置
１０            レンズ鏡筒マウント
２４            フォーカスレンズ
２６            絞り
２８            ズームレンズ
３０            レンズ鏡筒本体
３２            マウント抑え部材
３４            摩擦手段
３６            波形ワッシャ
３８            複数枚の外側係合摩擦リング
４０            内側係合摩擦リング
４８            ズーム駆動リング
５０            フォーカス駆動リング
５２            ズームロックつまみ
５３            フォーカスロックつまみ
５４            ズームレンズ保持枠
５８            キー部材
６６            フォーカスレンズ保持枠
【図１】
2007304418.tif 000003
【図２】
2007304418.tif 000004
【図３】
2007304418.tif 000005
【図４】
2007304418.tif 000006
【図５】
2007304418.tif 000007